(57)【要約】【課題】組立性及びメンテナンス性に優れた便器装置を提供する。【解決手段】便器装置１は、ボウル、洗剤タンク９、ベース６０、ボウル洗浄装置７、連結部材８及びカバー６１を備える。洗剤タンク９は、洗剤を貯留する。ボウル洗浄装置７は、ベース６０に設置され、洗剤タンク９に貯留された洗剤を用いてボウル３０を洗浄する。連結部材８は、ベース６０に設置され、ボウル洗浄装置７に連結される。カバー６１は、ベース６０に取り付けられ、ボウル洗浄装置７を覆う。カバー６１は、洗剤タンク９が収容されるタンク収容部６２を有する。連結部材８は、カバー６１の外側に露出する連結部８２を有する。タンク収容部６２に収容された洗剤タンク９が、連結部８２に連結される。洗剤タンク９とボウル洗浄装置７とが連結部材８を介して連通する。【選択図】図３
2018105058.tif 000002
【特許請求の範囲】
【請求項１】
ボウルと、
洗剤を貯留するための洗剤タンクと、
ベースと、
前記ベースに設置され、前記洗剤タンクに貯留された洗剤を用いて前記ボウルを洗浄するためのボウル洗浄装置と、
前記ベースに設置され、前記ボウル洗浄装置に連結される連結部材と、
前記ベースに取り付けられ、前記ボウル洗浄装置を覆うカバーとを備え、
前記カバーは、
前記洗剤タンクが収容されるタンク収容部を有し、
前記連結部材は、
前記カバーの外側に露出する連結部を有し、
前記タンク収容部に収容された前記洗剤タンクが、前記連結部に連結され、前記洗剤タンクと前記ボウル洗浄装置とが前記連結部材を介して連通するように構成されたことを特徴とする便器装置。
【請求項２】
前記タンク収容部が前記カバーにおける前記タンク収容部を除く部分と一体に形成されたことを特徴とする請求項１に記載の便器装置。
【請求項３】
前記連結部が前記ベースと前記カバーとの間に配置され、前記タンク収容部に前記連結部を前記カバーの外側に露出させる挿通孔が形成され、前記洗剤タンクが前記挿通孔を通って前記連結部に連結されるように構成されたことを特徴とする請求項１又は請求項２に記載の便器装置。
【請求項４】
前記洗剤タンクは、
前記洗剤タンク内の洗剤が前記ボウル洗浄装置に供給される際の出口として、下方に突出した洗剤出口部を有し、
前記タンク収容部が上方に開放された凹状に形成され、前記洗剤タンクが前記タンク収容部に上方から出入自在に収納され、前記挿通孔が前記タンク収容部の底部に形成され、前記連結部が前記底部の下方に位置し、前記洗剤出口部が前記挿通孔を通って前記連結部に連結されるように構成されたことを特徴とする請求項３に記載の便器装置。
【請求項５】
前記底部と前記連結部との間に配置されて、前記底部と前記連結部との間を封止するシール材と、
前記底部を前記連結部材に固定するビスとをさらに備え、
前記ビスが前記底部を上下方向に貫通して前記連結部材にねじ込まれており、前記シール材が前記底部と前記連結部とで上下方向に圧縮されたことを特徴とする請求項４に記載の便器装置。
【請求項６】
前記ボウル洗浄装置は、
前記ボウル内に水を吐出する吐水装置と、
前記吐水装置によって前記ボウルに供給される水に、前記洗剤タンク内の洗剤を混合する洗剤混合装置とを有し、
前記連結部材が前記洗剤混合装置に連結され、前記洗剤タンクが前記連結部材を介して前記洗剤混合装置に連通するように構成されたことを特徴とする請求項１〜５のいずれか１項に記載の便器装置。
【発明の詳細な説明】
【技術分野】
【０００１】
本発明は便器装置に関する。
【背景技術】
【０００２】
特許文献１には便器装置が開示されている。この便器装置には、ボウル部が設けられた便器本体を備えている。便器本体には機構ユニットが設けられており、機構ユニットの内部には、ボウル部に洗浄用水を供給する給水機構が設けられている。また、機構ユニットの外面には、上方に向かって開口し、洗剤タンクを収納可能なタンク収納部が設けられている。タンク収納部には接続口が設けられており、タンク収納部に収納された洗剤タンクは、接続口に接続される。この便器装置には、接続口の下流側を給水機構の給水管路に接続し、前記洗浄用水に洗剤を混入させる洗剤供給装置が設けられている。
【先行技術文献】
【特許文献】
【０００３】
【特許文献１】特開２０１５−１４８０８１号公報
【発明の概要】
【発明が解決しようとする課題】
【０００４】
上述した便器装置にあっては、タンク収納部に設けられた接続口と機構ユニットの内部に設けられた洗剤供給装置とを接続して連通させる必要がある。しかし、洗剤供給装置は機構ユニットの外殻によって覆われているため、接続口と洗剤供給装置とを接続する作業を行う際、機構ユニットの外殻が邪魔になる可能性がある。このため、便器装置の組立性及びメンテナンス性が良くない。
【０００５】
本発明は前記事情に鑑みてなされたものであって、組立性及びメンテナンス性に優れた便器装置を提供することを目的とする。
【課題を解決するための手段】
【０００６】
前記目的を達成するために本発明に係る一態様の便器装置は、以下に示す特徴を有する。便器装置は、ボウル、洗剤タンク、ベース、ボウル洗浄装置、連結部材及びカバーを備える。前記洗剤タンクは洗剤を貯留する。前記ボウル洗浄装置は、前記ベースに設置され、前記洗剤タンクに貯留された洗剤を用いて前記ボウルを洗浄する。前記連結部材は、前記ベースに設置され、前記ボウル洗浄装置に連結される。前記カバーは、前記ベースに取り付けられ、前記ボウル洗浄装置を覆う。前記カバーは、前記洗剤タンクが収容されるタンク収容部を有する。前記連結部材は、前記カバーの外側に露出する連結部を有する。前記タンク収容部に収容された前記洗剤タンクが、前記連結部に連結される。前記洗剤タンクと前記ボウル洗浄装置とが前記連結部材を介して連通するように構成される。
【発明の効果】
【０００７】
本発明に係る便器装置は、組立性及びメンテナンス性を向上できる。
【図面の簡単な説明】
【０００８】
【図１】図１は、本発明の一実施形態に係る便器装置の斜視図である。
【図２】図２は、同上の便器装置を断面で表した概略構成図である。
【図３】図３は、図４のＡ−Ａ線断面図である。
【図４】図４は、同上の便器装置の機器ユニットを示し、蓋の図示を省略した平面図である。
【図５】図５は、図４のＢ−Ｂ線断面図である。
【図６】図６は、同上の便器装置の蓋を開いた状態を示した斜視図である。
【図７】図７は、同上の機器ユニットを分解した状態において、当該機器ユニットの要部を一部断面で表した斜視図である。
【図８】図８は、図４のＣ−Ｃ線断面図である。
【発明を実施するための形態】
【０００９】
以下に示す実施形態は、便器装置に関し、詳しくは、洗剤を用いてボウルを洗浄する便器装置に関する。
【００１０】
図１に本実施形態の便器装置１を示す。便器装置１は例えばトイレルームの床に設置され、洋式便器として利用される。なお、以下では便器装置１を床に設置した状態における方向を用いて説明する。具体的には、便器装置１を着座状態で利用する利用者から見た方向を基準にして、便器装置１について説明する。
【００１１】
本実施形態の便器装置１は、支持フレーム２、便器本体３、トラップ装置４及び機器ユニット５を備えている。
【００１２】
支持フレーム２は例えば金属製であり、床に設置される。支持フレーム２は、便器本体３を支持している。
【００１３】
便器本体３は例えば合成樹脂製である。便器本体３は、ボウル３０、リム３１（図２参照）及びスカート３２を有している。ボウル３０は汚物を受ける部分であり、上方に開口した椀状に形成されている。図２に示すように、ボウル３０の下部には、後方に向かって突出した筒状の排水口部３３が形成されている。
【００１４】
ボウル３０の上縁部には、平面視環状のリム３１が接続されている。リム３１の上面は、便器本体３の上面を構成している。リム３１の後縁部を除く外周縁部には、図１に示す、平面視Ｕ字状のスカート３２の上縁部が接続されている。スカート３２は支持フレーム２の前部とボウル３０とを外側から覆っている。
【００１５】
支持フレーム２の後部の下部には、トラップ装置４が取り付けられている。トラップ装置４は、図２に示すトラップ筒４０を備えている。トラップ筒４０は可撓性を有する筒である。トラップ筒４０の一端部は、ボウル３０の排水口部３３に接続されている。トラップ筒４０の排水口部３３とは反対側の端部は、排出口４１を構成している。
【００１６】
トラップ装置４は、図示しないモーターを駆動することにより、トラップ筒４０の形状が、図２に実線で示した溜水形状と、図２に二点鎖線で示した排水形状とに切り替えられる。
【００１７】
トラップ筒４０の形状が溜水形状であるとき、排出口４１は排水口部３３よりも上方に位置し、上向きに開口する。このため、ボウル３０内の水はボウル３０内に留まる。トラップ筒４０の形状が排水形状であるとき、排出口４１はトラップ筒４０が溜水形状であるときの排出口４１よりも下方に位置し、下向きに開口する。このため、ボウル３０内の水は、トラップ筒４０を介して、床に設けられた下水管（図示せず）に排出される。
【００１８】
支持フレーム２の後部の上部には、図４及び図５に示す機器ユニット５が取り付けられている。なお、図４及び図５では、後述する蓋５５（図６参照）の図示を省略している。
【００１９】
機器ユニット５はケース６を有している。ケース６は、ベース６０と、カバー６１とを有している。ベース６０はケース６の底部を構成している。ベース６０は合成樹脂製である。ベース６０は、支持フレーム２に取付けられている。
【００２０】
図２に示すように、機器ユニット５は、ボウル洗浄装置７、連結部材８（図３参照）及び洗剤タンク９を有している。
【００２１】
ボウル洗浄装置７及び連結部材８は、ベース６０に設置されている。カバー６１にはタンク収容部６２が形成されており、タンク収容部６２には洗剤タンク９が収容されている。
【００２２】
洗剤タンク９は連結部材８を介してボウル洗浄装置７に連結されている。洗剤タンク９とボウル洗浄装置７とは、連結部材８を介して連通している。このため、洗剤タンク９内の洗剤は、連結部材８を介してボウル洗浄装置７に供給される。
【００２３】
ボウル洗浄装置７は、その一部がベース６０の上方に配置されている。
【００２４】
ボウル洗浄装置７は、洗剤タンク９に貯留された洗剤を用いてボウル３０内を洗浄する。本実施形態のボウル洗浄装置７は、水又は洗剤を混入した水のいずれかを選択的にボウル３０内に吐出する。
【００２５】
ボウル洗浄装置７は、ボウル３０内に水を吐出する吐水装置７０と、洗剤タンク９に貯留された洗剤を吐水装置７０によってボウル３０内に吐出される水に混合する洗剤混合装置７１とを有している。
【００２６】
吐水装置７０は、給水路７２及び開閉弁７４を有している。給水路７２の下流端部を除く部分は、例えば管によって構成される。給水路７２の上流端部は、図示しない水道管に連結されている。給水路７２には水道管から水が供給される。
【００２７】
給水路７２の下流端部は、ノズル７３で構成されている。ノズル７３は、水道管から給水路７２に供給された水がボウル３０内に吐出されるように、ボウル３０内に臨んでいる。
【００２８】
給水路７２には開閉弁７４が設けられている。開閉弁７４は例えば電磁弁で構成される。ノズル７３からボウル３０内への水の吐出の有無は、開閉弁７４が開閉されることで切り替えられる。
【００２９】
洗剤混合装置７１は、洗剤供給路７５と（図７参照）、ポンプ７６とを有している。本実施形態の洗剤供給路７５は、可撓性を有する管（ホース）で構成されている。洗剤供給路７５の上流端部は、連結部材８に連結されている。
【００３０】
本実施形態の連結部材８は、図３に示すように上下方向に延びた円筒状の筒部８０を有している。筒部８０の下端部には、筒部８０の外周側に突出した取付部８１が筒部８０の周方向に間隔を介して複数形成されている。複数の取付部８１の各々は、ビス８８によりベース６０にねじ止めされている。これにより、連結部材８はベース６０に固定されている。
【００３１】
連結部材８は、タンク収容部６２に収容された洗剤タンク９が連結される連結部８２を有している。本実施形態の連結部８２は、筒部８０の上端部に形成されている。
【００３２】
連結部材８は、筒部８０の上端部に形成され、筒部８０の内部を上下に仕切る仕切部８３を有している。本実施形態の連結部８２は、仕切部８３と、筒部８０における仕切部８３よりも上方の部分とで構成されている。すなわち、連結部８２は、仕切部８３を底部とし、筒部８０における仕切部８３よりも上方の部分を周壁部とした上方に開口する有底円筒状に形成されている。
【００３３】
図７に示すように連結部８２の上端部には、連結部８２の内部を上方に開放させる上開口部８４が形成されている。
【００３４】
連結部材８は、連結部８２の内部に通じる接続口部８５をさらに有している。本実施形態の接続口部８５は、連結部８２の周壁部の下部から外周側に向かって突出した筒状の部分である。
【００３５】
接続口部８５には、洗剤供給路７５の上流端部が接続されている。連結部８２の内部は、接続口部８５を介して洗剤供給路７５に連通している。これにより、洗剤タンク９は連結部８２の内部を介して洗剤供給路７５に連通している。
【００３６】
図２に示すように、洗剤供給路７５の下流端部は、ポンプ７６に連結されている。ポンプ７６は直接又は流路を介して給水路７２のノズル７３に接続されている。ポンプ７６は、洗剤タンク９内の洗剤を、連結部材８及び洗剤供給路７５を介してノズル７３に供給する。
【００３７】
吐水装置７０の開閉弁７４が開いた状態において、ノズル７３からボウル３０内に吐出される洗浄液は、ポンプ７６の駆動の有無が切り替えられることで、水又は洗剤が混合された水のいずれかに選択的に切り替えられる。
【００３８】
吐水装置７０の開閉弁７４が開いた状態で、ポンプ７６が駆動されると、洗剤タンク９内の洗剤は、連結部材８及び洗剤供給路７５を介して給水路７２を流れる水に供給される。これにより、給水路７２を流れる水に洗剤タンク９内の洗剤が混合される。このように洗剤が混合された水は、水道管の水道圧によってノズル７３からボウル３０内に吐出される。
【００３９】
吐水装置７０の開閉弁７４が開いた状態で、ポンプ７６が停止した状態にあっては、給水路７２を流れる水には、洗剤タンク９内の洗剤が供給されない。このため、給水路７２に供給された水は、そのままノズル７３からボウル３０内に吐出される。
【００４０】
図４に示すように、本実施形態の機器ユニット５は、ベース６０に設置される機器として、ボウル洗浄装置７の他に、局部洗浄装置５０、乾燥装置５１及び脱臭装置５２をさらに有している。
【００４１】
局部洗浄装置５０は利用者の局部に向けて水を吐出して局部を洗浄する。乾燥装置５１は、利用者の局部に温風を送って局部を乾燥する。脱臭装置５２はボウル３０内の空気を吸い込み、この空気に含まれる臭気を取り除く。以下、ボウル洗浄装置７、局部洗浄装置５０、乾燥装置５１及び脱臭装置５２をまとめて、機器群５４という。
【００４２】
本実施形態の機器ユニット５は、ケース６内に設けられた制御装置５３（図２参照）をさらに有している。制御装置５３は機器群５４の動作を制御する。
【００４３】
ベース６０は、ビス等の固着具（図示せず）を用いて、図１に示す支持フレーム２の後部の上部に取り付けられている。図５に示すように、ベース６０にはカバー６１が取付けられている。カバー６１は、ベース６０と、ベース６０に設置された機器群５４とを覆っている。
【００４４】
カバー６１は合成樹脂製である。本実施形態のカバー６１は、下方及び前方に開口した箱状に形成されている。カバー６１はベース６０に対して着脱可能である。
【００４５】
図４及び図５に示すように、カバー６１は、カバー６１の上面を構成する天板部６１０と、カバー６１の左右の側面を構成する一対の側板部６１１，６１２と、カバー６１の後面を構成する後板部６１３とを有している。天板部６１０、一対の側板部６１１，６１２及び後板部６１３は、一体に形成されている。
【００４６】
天板部６１０はベース６０の上方に配置されている。天板部６１０は、ベース６０及び機器群５４を上側から覆っている。一対の側板部６１１，６１２は、天板部６１０の左右両側の縁部から下方に向かってそれぞれ突出している。一対の側板部６１１，６１２は、ベース６０及び機器群５４を左右両側から覆っている。後板部６１３は天板部６１０の後端部から下方に向かって突出している。後板部６１３は、ベース６０及び機器群５４を後側から覆っている。
【００４７】
図６に示すように、カバー６１には、洗剤タンク９をカバー６１の外側から出入自在に収容可能なタンク収容部６２が形成されている。本実施形態のタンク収容部６２は天板部６１０に形成されており、天板部６１０の一部である。すなわち、タンク収容部６２は、カバー６１のタンク収容部６２を除く部分と一体に形成されている。
【００４８】
天板部６１０において、タンク収容部６２と、タンク収容部６２を除く部分（ケース６の上面を構成する略水平な板状部分）とは連続しており、タンク収容部６２と天板部６１０においてタンク収容部６２を除く部分との間には、段差や隙間が形成されていない。このため、利用者は、天板部６１０におけるタンク収容部６２とタンク収容部６２の周囲部とを容易に掃除することができる。
【００４９】
本実施形態の機器ユニット５は、天板部６１０の上面の一部を覆う蓋５５をさらに有している。蓋５５は左右に長い矩形板状に形成されている。蓋５５の長辺を構成する一端部は、天板部６１０の後端部に対して、左右方向と平行な回転軸を中心に回転可能に連結されている。
【００５０】
利用者は、蓋５５を天板部６１０に対して回転させることで、蓋５５を図１に示す閉位置と図６に示す開位置とに移動させることができる。蓋５５が図１に示す閉位置に配置されたとき、蓋５５は天板部６１０の上面に沿って配置され、蓋５５によって天板部６１０の上面の一部が覆われる。蓋５５が図６に示す開位置に配置されたとき、蓋５５は天板部６１０から上方に突出して起立し、天板部６１０の上面における前記一部は露出する。
【００５１】
本実施形態のタンク収容部６２は、図１及び図６に示すように、天板部６１０において蓋５５で覆われる部分に形成されている。このため、タンク収容部６２及びタンク収容部６２に収容された洗剤タンク９は、閉位置に配置された蓋５５により覆われる。
【００５２】
図７に示すように、本実施形態のタンク収容部６２は、下方に凹み、上方に開口した凹状に形成されている。タンク収容部６２の底部６２０の一部には、他部よりも上方に突出して隆起した隆起部６２１が形成されている。
【００５３】
隆起部６２１の頂部は、略水平な板状に形成されており、連結部材８に固定される固定部６２２を構成している。固定部６２２は、タンク収容部６２の底部６２０の一部である。図８に示すように、固定部６２２は連結部材８の連結部８２の上方に配置されている。
【００５４】
図７及び図８に示すようにタンク収容部６２の底部６２０には、洗剤タンク９が有する洗剤出口部９０を挿通するための挿通孔６２３が形成されている。本実施形態の挿通孔６２３は、固定部６２２に形成されており、固定部６２２を上下方向に貫通している。
【００５５】
本実施形態の機器ユニット５は、連結部８２と固定部６２２との間に配置され、連結部８２と固定部６２２との間を封止するシール材５６をさらに有している。
【００５６】
本実施形態のシール材５６は、平面視環状に形成されており、シール材５６の内側には、上下方向に貫通した貫通孔６２４が形成されている。挿通孔６２３、貫通孔６２４、及び連結部８２の内部は、平面視において互いに重複している。挿通孔６２３は貫通孔６２４を介して連結部８２の内部に連通している。連結部８２は貫通孔６２４及び挿通孔６２３を介してカバー６１外側のタンク収容部６２内に露出する。
【００５７】
本実施形態のカバー６１は、図５に示す複数のビス５７によってベース６０に取り付けられている。天板部６１０において蓋５５（図６参照）で覆われる部分には、上下方向に貫通した孔６１４が複数形成されている。これら複数の孔６１４の各々には、ビス５７が挿通されており、各孔６１４に挿通されたビス５７は、ベース６０にねじ込まれている。これにより、カバー６１はベース６０に対して固定されている。
【００５８】
本実施形態の固定部６２２は、図８に示す複数のビス５８によって連結部材８に固定されている。連結部材８の連結部８２の上端部には、外周側に突出したねじ止め部８６が連結部８２の周方向に間隔を介して複数形成されている。複数のねじ止め部８６の各々には、上方に開口したねじ穴８７が形成されている。
【００５９】
固定部６２２において各ねじ穴８７に対応する部分には、上下方向に貫通した孔６２５が形成されている。各孔６２５にはビス５８が挿通されており、各孔６２５に挿通されたビス５８は、対応するねじ穴８７にねじ込まれている。これにより、固定部６２２は連結部８２に固定されている。
【００６０】
固定部６２２と連結部８２との間に配置されたシール材５６は、各ビス５８の軸力により、固定部６２２と連結部８２とで上下方向に圧縮されている。このため、固定部６２２と連結部８２との間は、シール材５６によって適切に封止されている。
【００６１】
図４に示すように本実施形態の天板部６１０にあっては、蓋５５（図６参照）で覆われる部分に、操作スイッチ６３と、電池収納部６４とが設けられている。操作スイッチ６３は、機器群５４を動作させるために使用者が操作するスイッチである。電池収納部６４には、停電時において電源として利用される電池６５が収納されている。
【００６２】
図５に示すように本実施形態のカバー６１には、受信器６６が設けられている。受信器６６は、図示しないリモートコントローラーから送られた操作信号を受ける。受信器６６で受けられた操作信号は、制御装置５３に送られ、制御装置５３はこの操作信号に基づいて、機器群５４の動作を制御する。
【００６３】
図１に示すように、カバー６１のタンク収容部６２には、洗剤タンク９が収容されている。本実施形態の洗剤タンク９は、図７に示すように、洗剤を貯留するタンク本体９１と、タンク本体９１に貯留された洗剤の出口となる洗剤出口部９０とを有している。
【００６４】
タンク本体９１は合成樹脂製である。タンク本体９１は、タンク収容部６２に概ね合致する容器状に形成されている。タンク本体９１は、底板部９１０、周壁部９１１及び上板部９１２を有している。
【００６５】
周壁部９１１は底板部９１０の外周縁部から上方に向かって突出している。上板部９１２の上面は、タンク本体９１の上面を構成している。上板部９１２の外周縁部は、周壁部９１１の上縁部に繋がっている。
【００６６】
上板部９１２には、タンク本体９１の内外に通じる洗剤投入口部９１３が形成されている。利用者は、洗剤投入口部９１３を通じてタンク本体９１内に洗剤を投入することができる。本実施形態の洗剤タンク９は、洗剤投入口部９１３に着在可能に取り付けられ、洗剤投入口部９１３を塞ぐキャップ９２をさらに有している。
【００６７】
本実施形態の洗剤タンク９は、タンク本体９１の内部と、洗剤出口部９０とを連通させる連通部材９３をさらに有している。連通部材９３は、第１管部９３１、第２管部９３２及び第３管部９３３を有している。
【００６８】
第１管部９３１は、タンク本体９１内の下端部から上板部９１２を貫通して上板部９１２の上方に至るまで上下方向に延びている。第２管部９３２は第１管部９３１の上端部から上板部９１２の上面に沿って側方に延びている。第３管部９３３は第２管部９３２における第１管部９３１とは反対側の端部から下方に向かって延びており、タンク本体９１の周壁部９１１の外面に沿って配置されている。
【００６９】
第３管部９３３には洗剤出口部９０が設けられている。本実施形態の洗剤出口部９０は、上下方向に貫通した筒状の部材である。
【００７０】
第３管部９３３は、洗剤出口部９０の上端開口９０１を通って洗剤出口部９０の上部の内側に着脱可能に嵌め込まれている。これにより、洗剤出口部９０は、タンク本体９１の側方において、第３管部９３３から下向きに突出した状態で、第３管部９３３に取り付けられている。
【００７１】
洗剤出口部９０の内部は、第３管部９３３の内部、第２管部９３２の内部及び第１管部９３１の内部を順に介してタンク本体９１の内部に連通している。すなわち、第１管部９３１、第２管部９３２及び第３管部９３３は、洗剤出口部９０をタンク本体９１の内部に連通させる流路を構成している。
【００７２】
図８に示すように、本実施形態の第３管部９３３の外周面には、複数のＯリング９３４が取り付けられている。第３管部９３３の外周面と洗剤出口部９０の内周面との間は、複数のＯリング９３４によって封止されている。
【００７３】
洗剤出口部９０は、カバー６１の挿通孔６２３、シール材５６の貫通孔６２４及び上開口部８４を順に通って連結部８２の内側に嵌め込まれている。これにより、洗剤出口部９０は、連結部８２の内部を介して、図７に示す洗剤混合装置７１の洗剤供給路７５に連通している。
【００７４】
図８に示すように、本実施形態の洗剤出口部９０の下部の外周面には、複数のＯリング９００が取り付けられている。洗剤出口部９０の外周面と連結部８２の内周面との間は、複数のＯリング９００によって封止されている。
【００７５】
利用者は、図６に示すように蓋５５を開位置に配置した状態で、タンク収容部６２に洗剤タンク９を上方から挿入することで、洗剤タンク９をタンク収容部６２に収容できる。このとき、利用者は、洗剤タンク９を図７に示すように洗剤出口部９０が連通部材９３から下向きに突出する姿勢にした状態でタンク収容部６２に挿入することにより、洗剤出口部９０を挿通孔６２３に通して連結部８２に嵌め込むことができる。すなわち、洗剤出口部９０を挿通孔６２３及び連結部８２に挿入する方向は、洗剤タンク９をタンク収容部６２に挿入する方向と一致している。このため、利用者は、洗剤タンク９をタンク収容部６２に挿入すると同時に洗剤出口部９０を連結部８２に連結できる。
【００７６】
また、利用者は、図６に示すように蓋５５を開位置に配置した状態で、タンク収容部６２に収容された洗剤タンク９を上方に引き抜くことで、洗剤タンク９をタンク収容部６２から取り出すことができる。図７から明らかなように、洗剤出口部９０を挿通孔６２３及び連結部８２から引き出す方向は上方であり、洗剤タンク９をタンク収容部６２から取り出す方向と一致する。このため、利用者は、洗剤タンク９をタンク収容部６２から取り出すと同時に洗剤出口部９０を連結部８２から引き出すことができる。
【００７７】
機器ユニット５の施工は、例えば以下に示すように行われる。まず、作業者は、機器群５４をベース６０に設置し、また、図３に示すように、連結部材８を複数のビス８８でベース６０に固定する。また、この際、作業者は、ボウル洗浄装置７の洗剤供給路７５の上流端部と、連結部材８の接続口部８５とを接続する。
【００７８】
次に作業者は、ベース６０をビス等の固着具を用いて支持フレーム２（図１参照）に固定する。この後、作業者は、カバー６１をベース６０上に載せて複数のビス５７（図５参照）を用いてベース６０に固定する。また、この際、作業者は、図８に示すようにタンク収容部６２の固定部６２２を複数のビス５８によって連結部材８に固定する。これにより、タンク収容部６２の挿通孔６２３が、ベース６０に設置された連結部材８の連結部８２の内部に連通する。そして、作業者は、タンク収容部６２に洗剤タンク９を挿入して、洗剤出口部９０を連結部８２に連結する。
【００７９】
このように本実施形態の便器装置１は、図７に示す洗剤供給路７５の上流端部と連結部材８の接続口部８５とを接続する接続作業を、カバー６１をベース６０に取付ける前において行うことができる。仮に連結部材８がカバー６１に設けられた場合、前記接続作業はカバー６１をベース６０に取り付けた後に行う必要があり、この場合、カバー６１が前記接続作業の邪魔になりやすい。しかし、本実施形態では、前記接続作業を、カバー６１がベース６０に取付けられていない状態、すなわち、ボウル洗浄装置７及び連結部材８がカバー６１で覆われていない状態で行うことができる。従って、前記接続作業の際にカバー６１が邪魔にならず、洗剤供給路７５と接続口部８５とを簡単に接続できる。
【００８０】
図１に示すように、本実施形態の便器装置１は、複数のフレームカバー１０、便座１１及び便蓋１２をさらに備えている。
【００８１】
複数のフレームカバー１０は、支持フレーム２の後部の下部に取り付けられている。複数のフレームカバー１０により、支持フレーム２の後部とベース６０が覆われている。また、便座１１及び便蓋１２は、機器ユニット５のカバー６１に対して回転可能に取り付けられている。
【００８２】
なお、上述したボウル洗浄装置７は、洗剤を混合した水のみ、又は洗剤のみを、洗浄液としてボウル３０内に吐出する装置であってもよい。また、ボウル洗浄装置７は、その全部がベース６０の上方に配置されていてもよい。
【００８３】
また、洗剤混合装置７１は、洗剤タンク９内の洗剤を、例えば給水路７２に水が流れたときに生じる負圧（エジェクター効果）により給水路７２に混合するようにしてもよい。
【００８４】
また、本実施形態の給水路７２には、水道管から直接水が供給されるが、例えばロータンクから水が供給されるようにしてもよい。また、洗剤供給路７５は可撓性を有するホースに限られず、変形し難い管であってもよい。
【００８５】
また、タンク収容部６２はカバー６１の天板部６１０以外の箇所に形成されてもよい。また、タンク収容部６２は、カバー６１と別部材であってカバー６１に取り付けられてもよい。また、例えばタンク収容部６２の底部６２０を隆起部６２１のない平らな底部とし、この底部に挿通孔６２３を形成してもよい。
【００８６】
また、本実施形態の連結部８２は、カバー６１の内側（カバー６１とベース６０の間）に配置されているが、例えばカバー６１の挿通孔６２３を介してカバー６１の外側に突出してもよい。この場合も、連結部８２はカバー６１の外側に露出する。
【００８７】
また、便器本体３、支持フレーム２、ベース６０、カバー６１、蓋５５、及びフレームカバー１０等、便器装置１の各部の材質も、本実施形態のものに限られない。また、本実施形態の便器装置１では、トラップ装置４の稼働するトラップ筒４０により、排水トラップが構成されるが、排水トラップはＳ字トラップ等により構成されてよい。
【００８８】
また、この他、本実施形態の便器装置１は、適宜設計変更可能である。
【００８９】
以上説明した本実施形態の便器装置１は、以下に示す特徴を有する。便器装置１は、ボウル３０、洗剤タンク９、ベース６０、ボウル洗浄装置７、連結部材８及びカバー６１を備える。洗剤タンク９は、洗剤を貯留する。ボウル洗浄装置７は、ベース６０に設置され、洗剤タンク９に貯留された洗剤を用いてボウル３０を洗浄する。連結部材８は、ベース６０に設置され、ボウル洗浄装置７に連結される。カバー６１は、ベース６０に取り付けられ、ボウル洗浄装置７を覆う。カバー６１は、洗剤タンク９が収容されるタンク収容部６２を有する。連結部材８は、カバー６１の外側に露出する連結部８２を有する。タンク収容部６２に収容された洗剤タンク９が、連結部８２に連結され、洗剤タンク９とボウル洗浄装置７とが連結部材８を介して連通するように構成される。以下、この特徴を有する便器装置１を第１の態様の便器装置１という。
【００９０】
第１の態様の便器装置１は、タンク収容部６２に収容される洗剤タンク９を連結部８２に連結し、連結部材８を介して洗剤タンク９をボウル洗浄装置７に連通させることができる。従って、ボウル洗浄装置７を駆動することで、洗剤タンク９内の洗剤を用いて、ボウル３０内を洗浄することができる。また、連結部材８はベース６０に設置されるため、カバー６１がベース６０に取り付けられていない状態において、ボウル洗浄装置７と連結部材８とを連結することができる。このため、ボウル洗浄装置７と連結部材８とを連結する作業を行う際にカバー６１が邪魔にならず、ボウル洗浄装置７と連結部材８とを簡単に連結できる。従って、便器装置１の組立性及びメンテナンス性が向上する。
【００９１】
また、本実施形態の便器装置１は、第１の態様の便器装置１において以下に示す付加的な特徴を有する。タンク収容部６２がカバー６１におけるタンク収容部６２を除く部分と一体に形成される。以下、この特徴を有する便器装置１を第２の態様の便器装置１という。
【００９２】
第２の態様の便器装置１は、カバー６１の形状を、タンク収容部６２とカバー６１におけるタンク収容部６２を除く部分との間に、段差や隙間が形成されない形状にすることができる。このため、利用者は、タンク収容部６２及びその周辺部を容易に掃除できる。
【００９３】
また、本実施形態の便器装置１は、第１又は第２の態様の便器装置１において以下に示す付加的な特徴を有する。連結部８２がベース６０とカバー６１との間に配置される。タンク収容部６２に連結部８２をカバー６１の外側に露出させる挿通孔６２３が形成される。洗剤タンク９が挿通孔６２３を通って連結部８２に連結されるように構成される。以下、この特徴を有する便器装置１を、第３の態様の便器装置１という。
【００９４】
第３の態様の便器装置１は、ベース６０とカバー６１との間に配置された連結部８２を、挿通孔６２３を介してカバー６１の外側に露出させることができる。
【００９５】
また、本実施形態の便器装置１は、第３の態様の便器装置１において以下に示す付加的な特徴を有する。洗剤タンク９は、洗剤タンク９内の洗剤がボウル洗浄装置７に供給される際の出口として、下方に突出した洗剤出口部９０を有する。タンク収容部６２が上方に開口した凹状に形成される。洗剤タンク９がタンク収容部６２に上方から出入自在に収納される。挿通孔６２３がタンク収容部６２の底部６２０に形成される。連結部８２がタンク収容部６２の底部６２０の下方に位置する。洗剤出口部９０が挿通孔６２３を通って連結部８２に連結されるように構成される。以下、この特徴を有する便器装置１を、第４の態様の便器装置１という。
【００９６】
第４の態様の便器装置１にあっては、洗剤タンク９をタンク収容部６２に上方から挿入することで、洗剤タンク９の洗剤出口部９０を挿通孔６２３を通して連結部８２に連結できる。
【００９７】
また、本実施形態の便器装置１は、第４の態様の便器装置１において以下に示す付加的な特徴を有する。便器装置１は、シール材５６と、ビス５８とをさらに備える。シール材５６は、タンク収容部６２の底部６２０と連結部８２との間に配置されて、タンク収容部６２の底部６２０と連結部８２との間を封止する。ビス５８はタンク収容部６２の底部６２０を連結部材８に固定する。ビス５８がタンク収容部６２の底部６２０を上下方向に貫通して連結部材８にねじ込まれている。シール材５６がタンク収容部６２の底部６２０と連結部８２とで上下方向に圧縮される。以下、この特徴を有する便器装置１を、第５の態様の便器装置１という。
【００９８】
第５の態様の便器装置１は、シール材５６を、ビス５８の軸力を利用して、タンク収容部６２の底部６２０と連結部８２とで上下に圧縮できる。このため、タンク収容部６２の底部６２０と連結部８２との間を、シール材５６によって適切に封止できる。
【００９９】
また、本実施形態の便器装置１は、第１〜第５の態様の便器装置１において、以下に示す付加的な特徴を有する。ボウル洗浄装置７は、ボウル３０内に水を吐出する吐水装置７０と、吐水装置７０によってボウル３０に供給される水に、洗剤タンク９内の洗剤を混合する洗剤混合装置７１とを有する。連結部材８が洗剤混合装置７１に連結される。洗剤タンク９が連結部材８を介して洗剤混合装置７１に連通するように構成される。以下、この特徴を有する便器装置１を、第６の態様の便器装置１という。
【０１００】
第６の態様の便器装置１におけるボウル洗浄装置７は、洗剤混合装置７１により、洗剤タンク９内の洗剤を吐水装置７０によってボウル３０に供給される水に混合し、この洗剤が混合された水をボウル３０内に吐出してボウル３０の内面を洗浄できる。
【符号の説明】
【０１０１】
１  便器装置
３０  ボウル
５６  シール材
５８  ビス
６０  ベース
６１  カバー
６２  タンク収容部
６２３  挿通孔
７  ボウル洗浄装置
７０  吐水装置
７１  洗剤混合装置
８  連結部材
８２  連結部
９  洗剤タンク
９０  洗剤出口部
【図１】
2018105058.tif 000003
【図２】
2018105058.tif 000004
【図３】
2018105058.tif 000005
【図４】
2018105058.tif 000006
【図５】
2018105058.tif 000007
【図６】
2018105058.tif 000008
【図７】
2018105058.tif 000009
【図８】
2018105058.tif 000010